(57)【要約】【課題】予定されている撮影対象を撮影した際に、当該撮影対象が撮影済みであることを示す情報を記録可能なデジタル撮影装置、撮影進捗記録方法および撮影進捗記録プログラムを提供すること。【解決手段】操作部を操作してデジタル撮影装置（デジタルカメラ等）を撮影モードに設定する（Ｓ４０１）。次に、撮影予定対象リストを検索して記憶部から読み出す（Ｓ４０３）。次に、読み出された撮影予定対象リストを表示する（Ｓ４０５）。次に、実際に撮影が行われる（Ｓ４０７）と、撮影された撮影予定対象リスト中の撮影対象のフラグを変更する（Ｓ４０９）。次に、撮影された撮影予定対象リスト中の撮影対象の各項目に基づいてタグを記録して、当該タグを含む付属情報と画像データとを併せた画像ファイルを生成する（Ｓ４１１）。最後に、生成された画像ファイルを記憶部に格納する（Ｓ４１３）。【選択図】　　図２
2004007069.tif 000002
【特許請求の範囲】
【請求項１】
予定されている撮影対象の一覧であって、撮影済みか否かを示す撮影完了確認情報を撮影対象毎に有した撮影予定対象リストを記憶する撮影予定対象リスト記憶手段と、
前記撮影予定対象リストに基づいて撮影対象の一覧を表示する撮影対象一覧表示手段と、
前記撮影予定対象リストに含まれている撮影対象を撮影した際に、前記撮影予定対象リストの当該撮影対象に対応した撮影完了確認情報を撮影済みであることを示す内容に変更する撮影完了確認情報変更手段と、
を備えたことを特徴とするデジタル撮影装置。
【請求項２】
前記撮影予定対象リストに含まれている各撮影対象に対応した撮影完了確認情報に基づいて、未撮影の撮影対象だけを抽出する未撮影対象抽出手段を備え、
前記撮影予定対象リスト表示手段は、前記未撮影対象抽出手段で抽出された未撮影の撮影対象の一覧を表示することを特徴とする請求項１記載のデジタル撮影装置。
【請求項３】
撮影した結果生成されるファイルは画像データと付属情報とから構成され、
前記撮影予定対象リストは、撮影時に記録される付属情報の記録指示情報を撮影対象毎に有し、
撮影対象が撮影されると、画像データと前記撮影対象に対応した記録指示情報に基づく付属情報とを併せて一ファイルとして保存するファイル保存処理手段を備えたことを特徴とする請求項１または２記載のデジタル撮影装置。
【請求項４】
予定されている撮影対象の一覧であって、撮影済みか否かを示す撮影完了確認情報を撮影対象毎に有した撮影予定対象リストを検索する撮影予定対象リスト検索ステップと、
前記撮影予定対象リスト検索ステップで検索された撮影予定対象リストに基づいて、撮影対象の一覧を表示する撮影対象一覧表示ステップと、
前記撮影予定対象リストに含まれている撮影対象を撮影した際に、前記撮影予定対象リストの当該撮影対象に対応した撮影完了確認情報を撮影済みであることを示す内容に変更する撮影完了確認情報変更ステップと、
を有することを特徴とする撮影進捗記録方法。
【請求項５】
前記撮影予定対象リストに含まれている各撮影対象に対応した撮影完了確認情報に基づいて、未撮影の撮影対象だけを抽出する未撮影対象抽出ステップを有し、
前記撮影対象一覧表示ステップは、前記未撮影抽出ステップで抽出された未撮影の撮影対象の一覧を表示することを特徴とする請求項４記載の撮影進捗記録方法。
【請求項６】
撮影した結果生成されるファイルは画像データと付属情報とから構成され、
前記撮影予定対象リストは、撮影時に記録される付属情報の記録指示情報を撮影対象毎に有し、
撮影対象が撮影されると、画像データと前記撮影対象に対応した記録指示情報に基づく付属情報とを併せて一ファイルとして保存するファイル保存ステップを有することを特徴とする請求項４または５記載の撮影進捗記録方法。
【請求項７】
請求項４、５または６に記載の撮影進捗記録方法をコンピュータに実行させるための撮影進捗記録プログラム。
【発明の詳細な説明】
【０００１】
【発明の属する技術分野】
本発明は、予定されている撮影対象を撮影した際に、当該撮影対象が撮影済みであることを示す情報を記録可能なデジタル撮影装置、撮影進捗記録方法および撮影進捗記録プログラムに関する。
【０００２】
【従来の技術】
デジタルカメラで撮影された画像はファイルとして保存されるが、当該画像ファイルには画像データだけでなく、撮影日時やシャッタースピード等の撮影条件といった付属情報も併せて記録される。このような記録形式の１つに「Ｅｘｉｆ規格」がある。当該規格はデジタルカメラで撮影された画像ファイルのフォーマットについて規定しているが、デジタルカメラを工事現場や製造工場等での進捗状況等を記録するために利用する場合、撮影日時や撮影条件等に関する設定だけでは付属情報としての利用性は低い。
【０００３】
そこで、特開２００１−２４９８２号公報に記載の作業記録向けデジタルカメラシステムでは、工事名称や工種、種別等の項目から構成された撮影情報表をパーソナルコンピュータ（ＰＣ）で作成し、当該撮影情報表をデジタルカメラに送信している。図５に当該公報で示されている撮影情報表の一例を示す。撮影情報表が保存されているデジタルカメラでは、図６に示すように、各撮影対象の撮影情報の一覧（撮影リスト）を表示可能である。また、デジタルカメラを操作して撮影対象を選択すると、図７に示すように、選択された撮影対象の詳細な撮影情報と被写体像とが同時に表示される撮影情報画面となる。
【０００４】
そして、図７に示した表示状態で撮影を行うと、撮影画像と撮影情報とが同時に記録され、このとき撮影情報には前記撮影画像の画像ファイル名が記入される。このようにして撮影を繰り返し、全ての撮影対象について撮影を完了した後、デジタルカメラからＰＣに撮影画像と撮影情報を送信すれば、撮影前にＰＣで作成された撮影情報表が更新される。したがって、ＰＣでは、図８に示すように、撮影画像と撮影情報が関連した形態で表示されることとなる。
【０００５】
【発明が解決しようとする課題】
しかしながら、上記特開２００１−２４９８２号公報に記載の作業記録向けデジタルカメラシステムでは、撮影画像と撮影情報を関連付けることはできるが、各撮影対象に対して撮影済みか否かの記録を行うことができない。このような記録を行わないと撮影者自身が撮影済みか否か分からなくなってしまうため、撮影もれが発生することも考えられる。したがって、当該デジタルカメラシステムを利用して複数の撮影対象を撮影していく場合には、事前に撮影対象のリストを作成して当該リストをデジタルカメラと共に撮影現場に持って行き、撮影を終えた撮影対象にはリストにチェックを付けるといった作業を人為的に行わなければならなかった。
【０００６】
ただ、このような作業は撮影者にとって非常に手間であるため、チェックの付け忘れや記入箇所のミス等といった人為的なミスが起こる可能性が高いという問題点があった。このため、撮影済みの撮影対象には撮影済みであることを示すチェックが自動的に付与され、当該チェックに基づいて撮影もれを防ぐことのできる技術が望まれていた。
【０００７】
本発明は、上記従来の問題点または要望に鑑みてなされたものであって、予定されている撮影対象を撮影した際に、当該撮影対象が撮影済みであることを示す情報を記録可能なデジタル撮影装置、撮影進捗記録方法および撮影進捗記録プログラムを提供することを目的としている。
【０００８】
【課題を解決するための手段】
上記目的を達成するために、本発明に係るデジタル撮影装置は、予定されている撮影対象の一覧であって、撮影済みか否かを示す撮影完了確認情報を撮影対象毎に有した撮影予定対象リストを記憶する撮影予定対象リスト記憶手段と、前記撮影予定対象リストに基づいて撮影対象の一覧を表示する撮影対象一覧表示手段と、前記撮影予定対象リストに含まれている撮影対象を撮影した際に、前記撮影予定対象リストの当該撮影対象に対応した撮影完了確認情報を撮影済みであることを示す内容に変更する撮影完了確認情報変更手段と、を備えている。したがって、撮影予定対象リストに含まれている撮影予定の撮影対象を撮影した際に、当該撮影対象が撮影済みであることを示す情報（撮影完了確認情報）を撮影予定対象リストに記録することができる。
【０００９】
また、本発明に係るデジタル撮影装置は、前記撮影予定対象リストに含まれている各撮影対象に対応した撮影完了確認情報に基づいて、未撮影の撮影対象だけを抽出する未撮影対象抽出手段を備え、前記撮影予定対象リスト表示手段は、前記未撮影対象抽出手段で抽出された未撮影の撮影対象の一覧を表示する。したがって、当該デジタル撮影装置を用いて撮影進捗を確認することができるため、撮影もれが発生する可能性を極めて小さくすることができる。
【００１０】
また、本発明に係るデジタル撮影装置は、撮影した結果生成されるファイルは画像データと付属情報とから構成され、前記撮影予定対象リストは、撮影時に記録される付属情報の記録指示情報を撮影対象毎に有し、撮影対象が撮影されると、画像データと前記撮影対象に対応した記録指示情報に基づく付属情報とを併せて一ファイルとして保存するファイル保存処理手段を備えている。したがって、ユーザ等が付属情報の項目を追加または変更することができる。このため、ユーザは所望の項目を撮影した画像と共に参照することができる。
【００１１】
また、本発明に係る撮影進捗記録方法は、予定されている撮影対象の一覧であって、撮影済みか否かを示す撮影完了確認情報を撮影対象毎に有した撮影予定対象リストを検索する撮影予定対象リスト検索ステップと、前記撮影予定対象リスト検索ステップで検索された撮影予定対象リストに基づいて、撮影対象の一覧を表示する撮影対象一覧表示ステップと、前記撮影予定対象リストに含まれている撮影対象を撮影した際に、前記撮影予定対象リストの当該撮影対象に対応した撮影完了確認情報を撮影済みであることを示す内容に変更する撮影完了確認情報変更ステップと、を有している。
【００１２】
また、本発明に係る撮影進捗記録方法は、前記撮影予定対象リストに含まれている各撮影対象に対応した撮影完了確認情報に基づいて、未撮影の撮影対象だけを抽出する未撮影対象抽出ステップを有し、前記撮影対象一覧表示ステップは、前記未撮影抽出ステップで抽出された未撮影の撮影対象の一覧を表示する。
【００１３】
また、本発明に係る撮影進捗記録方法は、撮影した結果生成されるファイルは画像データと付属情報とから構成され、前記撮影予定対象リストは、撮影時に記録される付属情報の記録指示情報を撮影対象毎に有し、撮影対象が撮影されると、画像データと前記撮影対象に対応した記録指示情報に基づく付属情報とを併せて一ファイルとして保存するファイル保存ステップを有している。
【００１４】
さらに、本発明に係る撮影進捗記録プログラムは、請求項４、５または６に記載の撮影進捗記録方法をコンピュータに実行させるためのものである。
【００１５】
【発明の実施の形態】
以下、本発明に係るデジタル撮影装置の実施の形態について、図面を参照して詳細に説明する。なお、本実施形態の説明では、本発明に係るデジタル撮影装置および撮影進捗記録方法について詳述するが、本発明に係る撮影進捗記録プログラムについては、撮影進捗記録方法を実行させるためのプログラムであることから、その説明は以下の撮影進捗記録方法の説明に含まれる。また、本発明に係るデジタル撮影装置はデジタルカメラやデジタルビデオ（ＤＶ）等の画像または映像をデジタルで撮影可能な装置であるが、本実施形態ではデジタルカメラ（以下「デジカメ」という。）を例に説明する。
【００１６】
本実施形態のデジカメは、工事現場や製造工場等での進捗状況等を記録するために建造物や製造物を撮影するために用いられる。当該デジカメで撮影すると画像ファイルが生成されるが、本実施形態において、画像ファイルはＥｘｉｆ規格で定められたフォーマットで保存される。当該規格によれば、画像ファイルは画像データに加えて撮影日時やシャッタースピード等の撮影条件等の撮影条件といった付属情報を併せて記録し、特に付属情報はタグ形式で記録される。タグの記録場所はＩＦＤ（画像ファイルディレクトリ：Ｉｍａｇｅ　Ｆｉｌｅ　Ｄｉｒｅｃｔｏｒｙ）毎に分けられ、各ＩＦＤ内にタグが記録される。
【００１７】
図１に、Ｅｘｉｆ形式の画像ファイルのデータ構成を示す。同図に示すように、Ｅｘｉｆ形式の画像ファイルは、画像データ領域および付属情報領域等の領域を有している。付属情報領域はＩＦＤを有して構成されており、各ＩＦＤはタグによって各設定が記憶されている。
【００１８】
また、本実施形態では、予定されている撮影対象の一覧であって、撮影済みか否かを示すフラグ等（特許請求の範囲の「撮影完了確認情報）に該当する。）を撮影対象毎に有した「撮影予定対象リスト」がパーソナルコンピュータ（ＰＣ）等で作成され、リムーバブルメディアや有線または無線通信等によって本実施形態のデジカメに記憶される。当該撮影予定対象リストの一例を図２に示す。撮影予定対象リストは例えばＣＳＶ形式のファイルで保存され、同図に示した構成となっている。
【００１９】
図２に示した例では、［１］は１番目に撮影する撮影対象に関する付属情報、［２］は２番目に撮影する撮影対象に関する付属情報であるということを示す。また、特許請求の範囲のフラグに該当するＦｌａｇ，　１は撮影済み、Ｆｌａｇ，　０は未撮影を示し、Ｆｌａｇ，　０の撮影対象を撮影するとＦｌａｇ，　１に変更される。
【００２０】
また、「００，　０１０Ｅ，　０００２，　０００００００５，　４３４Ｂ３０３０３１」等の１番目の項目はどのＩＦＤに記録するかを示す情報であり、例えば、００：０ｔｈ　ＩＦＤ，　０１：１ｓｔ　ＩＦＤ，　０２：Ｅｘｉｆ　ＩＦＤ，　０３：ＧＰＳＩＦＤ，　０４：ＩｎｔｅｒＯｐｅｒａｂｉｌｉｔｙ　ＩＦＤである。また、２番目の項目は記録するタグのＩＤをＨｅｘ表記で示した情報である。また、３番目の項目は記録するタグのデータタイプを示す情報であり、例えば、０１：Ｂｙｔｅ，　０２：ＡＳＣＩＩ，　０３：ＳＨＯＲＴ，　０４：ＬＯＮＧ，　０７：ＵＮＤＥＦＩＮＥＤである。また、４番目の項目はタグに記録するデータの個数を示す情報である。また、５番目の項目は実際にタグに記録するデータをＨｅｘ表記で示した情報である。
【００２１】
したがって、図２に示した例は、１番目の撮影対象の付属情報には０ｔｈ　ＩＦＤにＩＤ＝０１０ＥのタグにＡＳＣＩＩで４３４Ｂ３０３０３１という５個のデータ、Ｅｘｉｆ　ＩＦＤにＩＤ＝９２８６のタグにタイプＵＮＤＥＦＩＮＥＤで４１，４５４３４９４９００００００３０３０３０３１という１２個のデータを記録し、Ｆｌａｇ，　１のため撮影済みであるということを示している。また、２番目の撮影対象の付属情報には、０ｔｈ　ＩＦＤにＩＤ＝０１０ＥのタグにＡＳＣＩＩで４３４Ｂ３０３０３２という５バイトのデータ、Ｅｘｉｆ　ＩＦＤにＩＤ＝９２８６のタグにタイプＵＮＤＥＦＩＮＥＤで４１，４５４３４９４９００００００３０３０３０３２という１２バイトのデータを記録し、Ｆｌａｇ，０のため未撮影であるということを示している。
【００２２】
次に、本実施形態のデジカメの構成について説明する。図３は、本発明の一実施形態に係るデジタルカメラの構成を示すブロック図である。同図に示すように、本実施形態のデジカメは、特許請求の範囲の撮影予定対象リスト記憶手段に該当する記憶部１０１と、フラグ変更手段およびファイル保存処理手段に該当する制御部１０３と、撮影対象一覧表示手段に該当する表示部１０５と、撮影部１０７と、操作部１０９とを備えて構成されている。
【００２３】
以下、本実施形態のデジタル撮影装置が有する各構成要素について説明する。
まず、記憶部１０１は、撮影予定対象リストや画像ファイルを記憶するものである。また、制御部１０３は、記憶部１０１に記憶されている撮影予定対象リストを読み出す処理や、表示部１０５に撮影対象の一覧や画像等を表示する制御、ユーザ操作に応じた所定の処理、撮影対象が撮影された際の当該撮影対象に対応する撮影予定対象リスト中のフラグの変更（Ｆｌａｇ，　０→Ｆｌａｇ，　１）、撮影画像を付属情報と共に画像ファイルとして記憶部１０１に格納する処理等を行うものであり、特許請求の範囲の未撮影対象抽出手段に該当する未撮影対象抽出部１５１を有している。未撮影対象抽出部１５１は、記憶部１０１から読み出された撮影予定対象リストのうち、フラッグがＦｌａｇ，　０（未撮影）の撮影対象を抽出するものであり、制御部１０３は、当該抽出が行われると制御部１０３は、表示部１０５に未撮影の撮影対象の一覧を表示するよう制御する。
【００２４】
また、表示部１０５は、制御部１０３による制御によって撮影予定対象リストに基づく撮影対象の一覧や撮影された画像、撮影部１０７が撮像している映像等を表示するものである。また、撮影部１０７は、シャッターが押されると撮影を行うものである。さらに、操作部１０９は、ユーザが本実施形態のデジカメを操作するためのものであって、例えば、デジカメを撮影モードに切り換えたり、撮影対象の一覧を表示するモードに切り換えるためのボタン、シャッター、電源スイッチ等である。
【００２５】
次に、本実施形態のデジカメが行う撮影進捗記録方法について、図４を参照して説明する。図４は、本実施形態のデジタル撮影装置（デジカメ）が行う撮影進捗記録方法について説明するフローチャートである。
【００２６】
まず、ステップＳ４０１では、操作部１０９を操作して本実施形態のデジカメを撮影モードに設定する。次に、ステップＳ４０３では、撮影予定対象リストを検索して記憶部１０１から読み出す。次に、ステップＳ４０５では、読み出された撮影予定対象リストを表示部１０５で表示する。次に、ステップＳ４０７で実際に撮影が行われると、ステップＳ４０９において、ステップＳ４０７で撮影された撮影予定対象リスト中の撮影対象のフラグをＦｌａｇ，　０からＦｌａｇ，　１に変更する。次に、ステップＳ４１１では、ステップＳ４０７で撮影された撮影予定対象リスト中の撮影対象の各項目に基づいてタグを記録して、当該タグを含む付属情報と画像データとを併せた画像ファイルを生成する。最後に、ステップＳ４１３において、ステップＳ４１１で生成された画像ファイルを記憶部１０１に格納して一連の処理を終了する。
【００２７】
なお、このようにして撮影を進めていった段階で、撮影予定対象リスト中のどの撮影対象を撮影したかをユーザが確認する際には、ユーザが撮影予定対象リスト中の未撮影の撮影対象の一覧を表示するよう、操作部１０９を用いて指示する。このとき、当該指示に応じて制御部１０３の未撮影対象抽出部１５１は撮影予定対象リスト中のフラグがＦｌａｇ，　０の撮影対象を抽出して、表示部１０５は当該抽出された未撮影の撮影対象の一覧を表示する。
【００２８】
以上説明したように、本実施形態のデジタル撮影装置（デジカメ）および撮影進捗記録方法では、予定されている撮影対象の一覧を示す撮影予定対象リストが撮影対象毎に撮影済み（Ｆｌａｇ，　１）か未撮影（Ｆｌａｇ，　０）かを示すフラグを有しており、撮影予定対象リストに含まれている撮影対象を撮影した際には、当該撮影対象に対応する撮影予定対象リスト中のフラグをＦｌａｇ，　０からＦｌａｇ，　１に変更している。このように、各撮影対象に対して撮影済みか否かの記録がされるため、ユーザが本実施形態のデジタル撮影装置を操作して撮影進捗を確認することができる。したがって、ユーザが手間をかけることなく撮影もれが発生する可能性を極めて小さくすることができる。
【００２９】
なお、本実施形態では、特許請求の範囲の撮影完了確認情報をフラグで説明したが、日時等の情報の有無によって撮影済みか否かを示しても良い。
【００３０】
【発明の効果】
以上説明したように、本発明に係るデジタル撮影装置、撮影進捗記録方法および撮影進捗記録プログラムによれば、撮影予定対象リストに含まれている撮影予定の撮影対象を撮影した際に、当該撮影対象が撮影済みであることを示す情報（撮影完了確認情報）を撮影予定対象リストに記録することができる。このため、当該デジタル撮影装置を用いて撮影進捗を確認することができるため、撮影もれが発生する可能性を極めて小さくすることができる。
【図面の簡単な説明】
【図１】Ｅｘｉｆ形式の画像ファイルのデータ構成を示す説明図
【図２】撮影予定対象リストの一例を示す説明図
【図３】本発明の一実施形態に係るデジタルカメラの構成を示すブロック図
【図４】本発明の一実施形態のデジタル撮影装置（デジタルカメラ）が行う撮影進捗記録方法について説明するフローチャート
【図５】特開２００１−２４９８２号公報に示されている撮影情報表の一例を示す説明図
【図６】特開２００１−２４９８２号公報のデジタルカメラに表示される撮影リスト画面の表示例
【図７】特開２００１−２４９８２号公報のデジタルカメラに表示される撮影情報画面の表示例
【図８】特開２００１−２４９８２号公報のコンピュータ上の画像データベースの表示例
【符号の説明】
１０１　記憶部
１０３　制御部
１０５　表示部
１０７　撮影部
１０９　操作部
１５１　未撮影対象抽出部
【図１】
2004007069.tif 000003
【図２】
2004007069.tif 000004
【図３】
2004007069.tif 000005
【図４】
2004007069.tif 000006
【図５】
2004007069.tif 000007
【図６】
2004007069.tif 000008
【図７】
2004007069.tif 000009
【図８】
2004007069.tif 000010